(57)【要約】      （修正有）【課題】ブーツを脱ぐための器具として、あまり場所をとらず、片足だけでブーツを脱げるものを提供する。【解決手段】ブーツ脱ぎ具として、床面近傍において、少なくとも上方に移動しないように固定可能に形成される固定部材と、内縁がブーツの踵の両側面及び／又は後端に係合する形状を有する凹部が先端側に形成される板体又は棒体により形成される踵係合部２０と、前記凹部が略水平状態となり得るように、前記踵係合部の後端側を水平軸に関して回動可能に前記固定部材に固定する回動支持部３０と、略水平状態の前記踵係合部に当接し、前記踵係合部が略水平状態から上方側に回動しないように規制する、前記固定部材又は回動支持部に設けられる回動規制部４０とを設ける。【選択図】図２
0003170237.tif 000002
【実用新案登録請求の範囲】
【請求項１】
床面近傍において、少なくとも上方に移動しないように固定される固定部材と、
内縁がブーツの踵の両側面及び／又は後端に係合する形状を有する凹部が先端側に形成される板体又は棒体により形成される踵係合部と、
前記凹部が略水平状態となり得るように、前記踵係合部の後端側を水平軸に関して回動可能に前記固定部材に固定する回動支持部と、
略水平状態の前記踵係合部に当接し、踵係合部が略水平状態から上方側に回動しないように規制する、前記固定部材又は回動支持部に設けられる回動規制部と
を有するブーツ脱ぎ具。
【請求項２】
前記回動規制部の前記踵係合部材が当接する部分又は前記踵係合部材の前記回動規制部が当接する部分に設けられる第一磁石と、
前記回動規制部の前記踵係合部材が当接する部分と前記踵係合部材の前記回動規制部が当接する部分の前記第一磁石が設けられていない側に設けられる前記第一磁石が吸着する第二磁石又は鉄片と
を有する請求項１に記載のブーツ脱ぎ具。
【請求項３】
長尺の棒状体を有し、前記固定部材は当該棒状体の下端近傍により形成される請求項１又は２に記載のブーツ脱ぎ具。
【請求項４】
前記固定部材は、上がり框の垂直面もしくは当該垂直面に固定されるブロック体により形成される請求項１又は２に記載のブーツ脱ぎ具。
【請求項５】
前記棒状体の先端に靴べらが形成される請求項３に記載のブーツ脱ぎ具。
【請求項６】
前記棒状体の前記踵係合部が設けられる側の側面と、当該側面の裏側の側面のそれぞれに、前記棒状体に沿うように上端近傍が固定され、下端は前記踵係合部に達しない、弾性体からなる棒体又は細長い板体により形成されるブーツ保持手段が設けられた請求項３又は５に記載のブーツ脱ぎ具。
【考案の詳細な説明】
【技術分野】
【０００１】
本考案は、ブーツを脱ぐための器具に関する。
【背景技術】
【０００２】
一般にブーツを脱ぐためには、体を曲げて手でブーツの踵部分を押さえ、この状態で足を踵から上方に移動させることで脱ぐことが一般的である。このため、立った姿勢でブーツを脱ぐ場合、非常に無理な体勢を強いられ、バランスを崩して転倒する場合もある。
このような問題に対応したブーツを脱ぐための器具としてブーツジャックがある。これは、先端側にブーツの踵の両側面から背面の上部に係合する凹部が先端に形成された板体又は棒体を略水平にやや斜め上方を向くように固定した器具である。ブーツジャックを使用する際には、一方の足に履いたブーツの踵を凹部に係合させ、他方の足でブーツジャックの後端側を踏み、この状態でブーツを履いた足を踵から上方に移動させことでブーツを脱ぐことができる。このような使用によりブーツジャックを用いると屈むことなくブーツを脱ぐことができる。
【考案の概要】
【考案が解決しようとする課題】
【０００３】
ところで、ブーツジャックはかなりの大きさがあり、床面の大きな面積を占めるという問題がある。また、ブーツジャックでは、片方のブーツを脱いだ後、他方側のブーツを脱ぐためにはブーツを脱いだ足でブーツジャックを踏まなければならず不衛生である。
本考案は、このような問題に鑑みて、ブーツを脱ぐための器具として、あまり場所をとらず、片足だけでブーツを脱げるものを提供することを課題とする。
【課題を解決するための手段】
【０００４】
上記課題を解決するために、本考案は次のような構成を有する。
請求項１に記載の考案は、床面近傍において、少なくとも上方に移動しないように固定される固定部材と、内縁がブーツの踵の両側面及び／又は後端に係合する形状を有する凹部が先端側に形成される板体又は棒体により形成される踵係合部と、前記凹部が略水平状態となり得るように、前記踵係合部の後端側を水平軸に関して回動可能に前記固定部材に固定する回動支持部と、略水平状態の前記踵係合部に当接し、前記踵係合部が略水平状態から上方側に回動しないように規制する、前記固定部材又は回動支持部に設けられる回動規制部とを有するブーツ脱ぎ具である。
請求項２に記載の考案は、前記ブーツ脱ぎ具において、前記回動規制部の前記踵係合部材が当接する部分又は前記踵係合部材の前記回動規制部が当接する部分に設けられる第一磁石と、前記回動規制部の前記踵係合部材が当接する部分と前記踵係合部材の前記回動規制部が当接する部分の前記第一磁石が設けられていない側に設けられる前記第一磁石が吸着する第二磁石又は鉄片とを有するものである。
請求項３に記載の考案は、前記ブーツ脱ぎ具において、さらに長尺の棒状体を有し、前記固定部材は当該棒状体の下端近傍により形成されるものである。
請求項４に記載の考案は、請求項１又は２に記載のブーツ脱ぎ具において、前記固定部材は、上がり框の垂直面もしくは当該垂直面に固定されるブロック体により形成されるものである。
請求項５に記載の考案は、請求項３に記載のブーツ脱ぎ具において、前記棒状体の先端に靴べらが形成されるものである。
請求項６に記載の考案は、請求項３又は５に記載のブーツ脱ぎ具において、前記棒状体の前記踵係合部が設けられる側の側面と、当該側面の裏側の側面のそれぞれに、前記棒状体に沿うように上端近傍が固定され、下端は前記踵係合部に達しない、弾性体からなる棒体又は細長い板体により形成されるブーツ保持手段が設けられたものである。
【考案の効果】
【０００５】
請求項１に記載の考案は、踵係合部を略水平状態として、ブーツの踵を踵係合部先端に係合させ、この状態で足を踵から上方に抜くと、踵係合部は上方側に回転しないように規制されているので、ブーツは固定され、足のみをブーツから引き抜くことができる。そして、使用しない状態においては、踵係合部を下方側に回転させておくことで場所をあまり取ることなく収納することができる。
請求項２に記載の考案は、踵係合部が磁石の力で略水平状態に保持できるので、踵を踵係合部先端に係合させる作業を容易に行うことができる。
請求項３に記載の考案は、棒状体の下端を地面に当接させて上端側を手で押さえることで固定部材を構成する棒状体の下端近傍を固定することができ、使用しないときは棒状体の上端を持って簡易に持ち運び、移動させることができる。
請求項４に記載の考案は、上がり框に固定することで安定するのでブーツが脱ぎやすく、また、不使用時には踵係合部を下方側に回転させると上がり框の垂直面に沿うような状態となり収納性が高い。
請求項５に記載の考案は、棒状体の先端に靴べらを形成することで、靴を履く際にも使用することができる。
請求項６に記載の考案は、ブーツ保持手段をブーツの上部開口から胴筒内に通すとブーツ保持手段の弾性力によってブーツの胴筒側部がブーツ保持手段と棒状体の側面とで狭持固定されることとなる。左右のブーツをこのように固定すると、ブーツを安定して立てることができる。即ち、ブーツ保持手段によって脱いだブーツを保持するブールホルダを形成することができる。
【図面の簡単な説明】
【０００６】
【図１】実施形態１に係るブーツ脱ぎ具の斜視図であ。
【図２】（ａ）は踵係合部が略水平状態となったブーツ脱ぎ具の下端近傍の拡大縦断面図であり、（ｂ）は踵係合部が略垂直状態となったブーツ脱ぎ具の下端近傍の拡大縦断面図である。
【図３】上がり框に取り付けた実施形態２に係るブーツ脱ぎ具を示す斜視図である。
【図４】（ａ）は実施形態１の変形例に係るブーツ脱ぎ具の側面図であり、（ｂ）は実施形態１の変形例に係るブーツ脱ぎ具の正面図である。
【図５】実施形態１の変形例に係るブーツ脱ぎ具のブーツホルダとしての使用状態を示す側面図である。
【考案を実施するための形態】
【０００７】
以下、本考案の実施の形態について、図面を参照しながら説明する。
（実施形態１）
図１に実施形態１に係るブーツ脱ぎ具Ｘの斜視図を示す。ブーツ脱ぎ具Ｘは、棒状体１０、踵係合部２０を有する。棒状体１０は、６０〜８０ｃｍ程度の棒体であり上端には水平にＴ字状に取り付けられるハンドル１２が固定され、下端側は先端側に先端に向かって先細りになるやや厚い板状部分１１が形成されている。板状部分１１の先端には靴べら１１ａが形成され、板状部分１１の上端側側面には踵係合部２０が取り付けられる。踵係合部２０は、板体の先端側にブーツの踵の両側面及び後端に係合する切り欠きからなる凹部２１を設けたもので、全体として図１の平面視Ｕ字状に形成される。
図２（ａ）に棒状体１０の下端近傍の拡大縦断面図を示す。踵係合部２０は基端側でヒンジからなる回動支持部３０によって水平軸周りに回動できるように棒状体１０の板状部分１１に固定される。これにより、踵係合部２０は図２（ａ）に示すように略水平状態から図２（ｂ）に示すように略垂直状態まで回動できる。また、踵係合部２０が略水平状態となったときに踵係合部２０の基端側上面に当接する板状部材からなる回動規制部４０が板状部分１１に固定されている。この板状部分の踵係合部２０に当接する面には磁石４１が埋め込まれており、また、踵係合部２０の回動規制部４０に当接する面には鉄板２２が固定されている。これにより、図２（ａ）に示すように踵係合部２０が略水平状態において磁石４１と鉄板２２とが互いに吸着し、踵係合部２０が略水平状態を保つようになっている。なお、略水平状態の踵係合部２０が板状部分１１に当接する部分も、踵係合部２０がさらに上方に回動することを規制する回動規制部としての役割を果たす。
【０００８】
次に、以上のような構成を有する靴べら脱ぎ具Xの使用方法について説明する。通常は、踵係合部２０は図２（ｂ）のように棒状体１０に沿って略垂直になった状態で収納されている。そして、ブーツを脱ぐ際には、踵係合部２０を回転させて図１、図２（ａ）のように略水平状態とする。これにより踵係合部２０は磁石４１と鉄板２２とが吸着することで略水平状態を維持する。この状態で使用者は、棒状体１０の下端を床面につけ、上部のハンドル１２を持って棒状体１０を固定し、ブーツの踵を踵係合部２０の凹部２１に嵌めて、足を後方から持ち上げるように引き抜くことでブーツを脱ぐことができる。反対側の足のブーツも同様にして脱いだ後に、足先などで踵係合部２０を軽く押し下げて磁石４１と鉄板２２との吸着を解除することで、踵係合部２０は重力により下方側に回動し、図２（ｂ）のような状態となるので、この状態で靴べら脱ぎ具Xを収納する。
また、靴を履く場合には、靴べら脱ぎ具Ｘの棒状体１０の先端には靴べら１１ａが形成されているので、これを用いて靴を履くことができる。
【０００９】
（実施形態２）
図３に実施形態２に係るブーツ脱ぎ具Ｙが上がり框に固定された状態を表す斜視図を示す。ブーツ脱ぎ具Ｙは、踵係合部２０、回動支持部３０、回動規制分４０、磁石４１、鉄板２２の構成要素は実施形態１に係るブーツ脱ぎ具Ｘと同じなので説明を省略する。ブーツ脱ぎ具Ｙではこれらの構成要素が、棒状体１０の下端側に設けられることに代えて、直方体状のブロック体５０に固定されている。そして、このブロック体５０は図３に示すように上がり框の垂直面に固定される。
このブーツ脱ぎ具Ｙの使用方法を以下に説明する。通常は、ブーツ脱ぎ具Ｙの踵係合部２０は下方側に回転し、上がり框の垂直面と略平行な状態で収納される。そして、使用に際しては、使用者は踵係合部２０を略水平として磁石４１と鉄板２２を吸着させることで固定し、この状態でブーツの踵を踵係合部２０の凹部２１に係合させてブーツを脱ぐ。両足のブーツを脱ぎ終えたら、踵係合部２０先端を軽く下側に押して磁石４１と鉄板２２との吸着を解くことで、踵係合部２０を下方側に回転させ収納状態とする。
【００１０】
（変形例）
上記実施形態では、踵係合部２０を板体を切り欠いて凹部２１を形成したが、棒体を曲げることで凹部２１を形成することもできる。
また、回動規制部４０は棒状体１０やブロック体５０の略水平状態の踵係合部２０に当接する部分も回動規制部としての役割を果たすので省略することができ、この場合磁石や鉄板は、この当接し合う面のそれぞれに設ければよい。
さらに、上記実施形態２において、踵係合部２０はブロック体５０を介して上がり框の垂直面に設けられているが、直接上がり框の垂直面に設けてもよい。
そして、上記磁石４１に吸着する鉄板２２は磁石４１に吸着する磁石に代えてもよい。
また、図４（ａ）に側面図を、図４（ｂ）に正面図を示す靴べら脱ぎ具Ｚのように、棒状体１０の、対向する側面にそれぞれ弾性を有する細長い板体からなるブーツ保持体６０を固定してもよい。ブーツ保持体６０は、長手方向が棒状体１０に沿うように、上端近傍のみが棒状体１０に固定されている。また、ブーツ保持体６０の下端側はブーツを脱ぐ際に邪魔にならないように踵係合部２０までは達しない長さに設定される。このブーツ保持体６０は、図５に示すように、脱いだブーツＢをそろえて立て、それぞれブーツＢの開口部からブーツ保持体６０のそれぞれの先端を棒状体１０が床面に着くまで挿入する。これによって、ブーツＢ及び靴べら脱ぎ具Ｚを安定した状態で立たせることができ、靴べら脱ぎ具Ｚにブーツホルダとしての機能を果たさせることができる。
【符号の説明】
【００１１】
Ｘ、Ｙ、Ｚ  ブーツ脱ぎ具
１０  棒状体
１１ａ  靴べら
２０  踵係合部
２１  凹部
２２  鉄板
３０  回動支持部
４０  回動規制分
４１  磁石
５０  ブロック体
６０  ブーツ保持体
【図１】
0003170237.tif 000003
【図２】
0003170237.tif 000004
【図３】
0003170237.tif 000005
【図４】
0003170237.tif 000006
【図５】
0003170237.tif 000007